(57)【要約】【課題】へそ凹部を拡開して拡開状態を維持することができ、へそ掃除を容易に行うことができるへそ拡開具を提供すること。【解決手段】一対のアーム部材１１Ａ、１１Ｂと、該一対のアーム部材１１Ａ、１１Ｂの先端部１２Ａ、１２Ｂそれぞれに対向して設けられた挿入体形成部２１Ａ、２１Ｂとを備え、前記一対のアーム部材１１Ａ、１１Ｂは、それらの基端部１３で連結されており、２個の前記挿入体形成部２１Ａ、２１Ｂは、対向部が近接又は当接されて、へそ凹部へ挿入できる挿入体２２を形成するようになっており、前記２個の挿入体形成部２１Ａ、２１Ｂが近接又は当接されて前記挿入体２２が形成された際に、それらを離間する方向の弾性復元力が付与されている。【選択図】図１
2005304593.tif 000002
【特許請求の範囲】
【請求項１】
一対のアーム部材と、該一対のアーム部材の先端部それぞれに対向して設けられたへそ凹部への挿入体形成部とを備え、
前記一対のアーム部材は、それらの基端部で連結されており、２個の前記挿入体形成部は、対向部が近接又は当接されて、へそ凹部へ挿入できる挿入体を形成するようになっており、
前記２個の挿入体形成部が近接又は当接されて前記挿入体が形成された際に、それらを離間する方向の弾性復元力が付与されているへそ拡開具。
【請求項２】
側面視における前記挿入体の、へそ凹部への挿入方向に対する前記アーム部材の長手方向のなす角が９０°〜１５０°である請求項１記載のへそ拡開具。
【請求項３】
前記一対のアーム部材間にバネ部材が配されており、該バネ部材により前記弾性復元力が付与されている請求項１又は２記載のへそ拡開具。
【請求項４】
一対の第１板状基体及び第２板状基体と、該一対の第１板状基体及び第２板状基体の下面それぞれに突設された、対向する第１挿入体形成部及び第２挿入体形成部とを備え、
前記一対の第１板状基体及び第２板状基体それぞれに厚さ方向に第１貫通孔及び第２貫通孔が貫設されており、
前記第１板状基体及び前記第２板状基体は、前記第２挿入体形成部が前記第１貫通孔を貫通し、該第１板状基体の上に該第２板状基体が重なった状態で、所定の面方向に摺動自在に連結されており、
前記第１挿入体形成部及び前記第２挿入体形成部は、対向部が近接又は当接されて、へそ凹部へ挿入できる挿入体を形成するようになっており、
前記第１挿入体形成部及び前記第２挿入体形成部が近接又は当接されて前記挿入体が形成された際に、それらを前記面方向に離間する方向の弾性復元力が付与されているへそ拡開具。
【請求項５】
前記第１挿入体形成部と前記第２挿入体形成部との前記面方向の最大離間時に、前記第１貫通孔と前記第２貫通孔とが孔方向に重複するようになっている請求項４記載のへそ拡開具。
【請求項６】
前記第１板状基体と前記第２板状基体とをそれらの摺動方向に離間させるようにバネ部材が設けられており、該バネ部材により前記弾性復元力が付与されている請求項４又は５記載のへそ拡開具。
【請求項７】
棒状の把持部と該把持部の先端部に設けられた二股の拡開部とを備え、該拡開部は、それをへそ凹部に挿入することにより該へそ凹部を拡開状態とするようになっているへそ拡開具。
【発明の詳細な説明】
【技術分野】
【０００１】
本発明は、へそ凹部内の汚れ（へそのゴマ）を除去する際に、へそ凹部を拡開するのに用いるへそ拡開具に関する。
【背景技術】
【０００２】
近年、所謂へそ出しルックやへそピアスが一般化し、また水着を外出着として着用する時勢もあり、へそを露出する機会が増えている。へそ凹部に所謂へそのゴマが溜っていると見栄えが悪く、またへそ凹部に細菌が繁殖して臭いを発する。そのため、見栄え向上や防臭の目的で、へそのゴマの除去（へそ掃除）が行われている。
へそのゴマの除去は、指でへそ凹部を拡開した状態でオイルを付けた綿棒で掻き出したり、専用の掻き出し具（特許文献１参照）を用いて掻き出すこと等により行われている。
【０００３】
【特許文献１】米国特許第２７６５６１号明細書
【発明の開示】
【発明が解決しようとする課題】
【０００４】
しかし、指でへそ凹部を拡開した状態でへそ掃除を行うと、一方の手が塞がってしまい、他方の手のみでへそ掃除を行う必要があるので、へそ掃除が容易ではない。
【０００５】
従って、本発明の目的は、へそ凹部を拡開して拡開状態を維持することができ、へそ掃除を容易に行うことができるへそ拡開具を提供することにある。
【課題を解決するための手段】
【０００６】
本発明は、一対のアーム部材と、該一対のアーム部材の先端部それぞれに対向して設けられたへそ凹部への挿入体形成部とを備え、前記一対のアーム部材は、それらの基端部で連結されており、２個の前記挿入体形成部は、対向部が近接又は当接されて、へそ凹部へ挿入できる挿入体を形成するようになっており、前記２個の挿入体形成部が近接又は当接されて前記挿入体が形成された際に、それらを離間する方向の弾性復元力が付与されているへそ拡開具を提供することにより、上記目的を達成したものである。
【０００７】
また、本発明は、一対の第１板状基体及び第２板状基体と、該一対の第１板状基体及び第２板状基体の下面それぞれに突設された、対向する第１挿入体形成部及び第２挿入体形成部とを備え、前記一対の第１板状基体及び第２板状基体それぞれに厚さ方向に第１貫通孔及び第２貫通孔が貫設されており、前記第１板状基体及び前記第２板状基体は、前記第２挿入体形成部が前記第１貫通孔を貫通し、該第１板状基体の上に該第２板状基体が重なった状態で、所定の面方向に摺動自在に連結されており、前記第１挿入体形成部及び前記第２挿入体形成部は、対向部が近接又は当接されて、へそ凹部へ挿入できる挿入体を形成するようになっており、前記第１挿入体形成部及び前記第２挿入体形成部が近接又は当接されて前記挿入体が形成された際に、それらを前記面方向に離間する方向の弾性復元力が付与されているへそ拡開具を提供することにより、上記目的を達成したものである。
【０００８】
また、本発明は、棒状の把持部と該把持部の先端部に設けられた二股の拡開部とを備え、該拡開部は、それをへそ凹部に挿入することにより該へそ凹部を拡開状態とするようになっているへそ拡開具を提供することにより、上記目的を達成したものである。
【発明の効果】
【０００９】
本発明のへそ拡開具によれば、へそ凹部を拡開して拡開状態を維持することができ、へそ掃除を容易に行うことができる。
【発明を実施するための最良の形態】
【００１０】
以下、本発明のへそ拡開具を、その好ましい一実施形態である第１実施形態について説明する。
第１実施形態のへそ拡開具１は、図１及び図２に示すように、一対のアーム部材１１Ａ、１１Ｂと、該一対のアーム部材１１Ａ、１１Ｂの先端部１２Ａ、１２Ｂそれぞれに対向して設けられたへそ凹部への挿入体形成部２１Ａ、２１Ｂとを備え、前記一対のアーム部材１１Ａ、１１Ｂは、それらの基端部１３で連結されており、２個の前記挿入体形成部２１Ａ、２１Ｂは、対向部が近接又は当接されて、へそ凹部Ｎ（図３参照）へ挿入できる挿入体２２を形成するようになっており、前記２個の挿入体形成部２１Ａ、２１Ｂが近接又は当接されて前記挿入体２２が形成された際に、それらを離間する方向の弾性復元力が付与されている。
【００１１】
詳述すると、第１実施形態のへそ拡開具１は、図１及び図２に示すように、一対のアーム部材１１Ａ、１１Ｂを備えている。アーム部材１１Ａ、１１Ｂは、略細長板状の部材で、その対向面上縁には、それぞれ、その長手方向に沿って補強用のリブ１４Ａ、１４Ｂが設けられている。一対のアーム部材１１Ａ、１１Ｂは、それらの基端部１３で連結されており、ピンセットと同様に、基端部１３を開閉支点として開閉できるようになっている。
一対のアーム部材１１Ａ、１１Ｂの先端部１２Ａ、１２Ｂには、それぞれ、挿入体形成部２１Ａ、２１Ｂが対向して設けられている。２個の挿入体形成部２１Ａ、２１Ｂは、それぞれ略半円筒形状を有しており、対向部が当接されて、へそ凹部へ挿入できる一対の挿入体２２を形成するようになっている。挿入体２２は、略円筒形状を有しており、詳細には、へそ凹部に挿入し易いように、アーム部材１１Ａ、１１Ｂ側からその反対側の端部に向けて徐々に外径が細くなっている。
【００１２】
２個の挿入体形成部２１Ａ、２１Ｂの対向面には、それぞれ長手方向に延びる略半円断面の半内筒部２３Ａ、２３Ｂが形成されている。２個の半内筒部２３Ａ、２３Ｂは、２個の挿入体形成部２１Ａ、２１Ｂの対向面を当接させると、図１（ｂ）に示すように、略円断面の内筒部２４を形成するようになっている。
図２（ｂ）に示すように、側面視における挿入体２２の、へそ凹部への挿入方向に対するアーム部材１１Ａ、１１Ｂの長手方向のなす角αは、好ましくは９０°〜１５０°である。該なす角αが９０°以上であると、挿入体２２の長手方向を垂直方向に配置したときに、アーム部材１１Ａ、１１Ｂが先端部１２Ａ、１２Ｂから基端部１３に向かって上向きとなる。従って、片手で把持してへそ凹部への挿入操作がしやすい。
【００１３】
一対のアーム部材１１Ａ、１１Ｂ間にはバネ部材Ｓが配されている。詳述すると、バネ部材Ｓは、平面視で略く字形状の板バネ部材であり、その基端部同士が連結され、その先端部はそれぞれアーム部材１１Ａ、１１Ｂの対向面における先端部１２Ａ、１２Ｂ近傍に連結されている。そのため、一対のアーム部材１１Ａ、１１Ｂを、基端部１３を開閉支点として閉じると、バネ部材Ｓが圧縮され、一対のアーム部材１１Ａ、１１Ｂには、基端部１３を開閉支点として開く方向に弾性復元力が付与される。従って、２個の挿入体形成部２１Ａ、２１Ｂが当接されて一対の挿入体２２が形成された際に、それらを離間する方向の弾性復元力が付与されている。
【００１４】
アーム部材１１Ａ、１１Ｂ、挿入体形成部２１Ａ、２１Ｂ及びバネ部材Ｓは、合成樹脂、金属等の材料により形成することができる。また、アーム部材１１Ａ、１１Ｂ、挿入体形成部２１Ａ、２１Ｂ及びバネ部材Ｓは、一体的に形成してもよく、それぞれ別体で形成してから結合させてもよいが、本実施形態においては、製造コスト低減の観点から合成樹脂の一体成形により形成されている。
【００１５】
次に、第１実施形態のへそ拡開具を用いたへそ掃除の一実施態様について、図１及び図３を参照して説明する。
先ず、図１（ａ）に示す挿入体形成部２１Ａ、２１Ｂが離間した状態のへそ拡開具１において、一対のアーム部材１１Ａ、１１Ｂを近接させるように押圧して、一対のアーム部材１１Ａ、１１Ｂを、基端部１３を開閉支点として閉じることにより、図１（ｂ）に示すように、挿入体形成部２１Ａ、２１Ｂが当接して略円筒形状の挿入体２２が形成される。この状態で、へそ凹部Ｎに挿入体２２を挿入する。そして、一対のアーム部材１１Ａ、１１Ｂへの押圧力を解除すると、図３に示すように、バネ部材Ｓによる弾性復元力により一対のアーム部材１１Ａ、１１Ｂ間が基端部１３を開閉中心として離間し、延いては挿入体形成部２１Ａ、２１Ｂが離間する。その結果、離間した挿入体形成部２１Ａ、２１Ｂにより、へそ凹部Ｎが拡開して拡開状態が保持される。そして、拡開状態のへそ凹部Ｎに対し、オイルを付けた綿棒等を用いてへそのゴマを除去することができる。
【００１６】
このように、本実施形態のへそ拡開具１によれば、へそ凹部Ｎを容易に拡開して拡開状態を保持できるため、へそ掃除を容易に行うことができる。手を離した状態でへそ拡開具１がへそ凹部Ｎの拡開状態を保持できれば、両手を用いてへそ掃除を行うことができる。へそ拡開具１の向きを適宜変更し、へそ凹部Ｎの奥部が見え易いように調節すると、へそ掃除が一層容易となる。
【００１７】
次に本発明のへそ拡開具の別の好ましい実施形態である第２実施形態について説明する。
第２実施形態のへそ拡開具３は、図４〜図８に示すように、一対の第１板状基体３１Ａ及び第２板状基体３１Ｂと、該一対の第１板状基体３１Ａ及び第２板状基体３１Ｂの下面３２Ａ、３２Ｂそれぞれに突設された、対向する第１挿入体形成部４１Ａ及び第２挿入体形成部４１Ｂとを備え、前記一対の第１板状基体３１Ａ及び第２板状基体３１Ｂそれぞれに厚さ方向に第１貫通孔５１Ａ及び第２貫通孔５１Ｂが貫設されている。
【００１８】
また、前記第１板状基体３１Ａ及び前記第２板状基体３１Ｂは、前記第２挿入体形成部４１Ｂが前記第１貫通孔５１Ａを貫通し、該第１板状基体３１Ａの上に該第２板状基体３１Ｂが重なった状態で、所定の面方向Ｘ−Ｘに摺動自在に連結されており、前記第１挿入体形成部４１Ａ及び前記第２挿入体形成部４１Ｂは、対向部が近接又は当接されて、へそ凹部へ挿入できる挿入体４２を形成するようになっており、前記第１挿入体形成部４１Ａ及び前記第２挿入体形成部４１Ｂが近接又は当接されて前記挿入体４２が形成された際に、それらを前記面方向Ｘ−Ｘに離間する方向の弾性復元力が付与されている。
【００１９】
詳述すると、第２実施形態のへそ拡開具３は、一対の第１板状基体３１Ａ及び第２板状基体３１Ｂを備えている。
第１板状基体３１Ａは、図７（ｂ）に示すように、平面視で略陸上トラック形状を有している。尚、説明の便宜上、図７（ｂ）における左側の端縁３５Ａ及び右側の端縁３６Ａを、それぞれ第１板状基体３１Ａの前端縁及び後端縁という。第１板状基体３１Ａの略中央部の下面３２Ａには、略半円弧状断面の第１挿入体形成部４１Ａが突設されている。第１挿入体形成部４１Ａにおける後端縁３６Ａ側は、平坦面となっている。
【００２０】
第１板状基体３１Ａの第１挿入体形成部４１Ａにおける後端縁３６Ａ側に隣接して、厚さ方向に第１貫通孔５１Ａが貫設されている。第１貫通孔５１Ａにおける後端縁３６Ａ側は、該後端縁３６Ａ側に凹んでおり、当り逃げ部５２Ａを形成している。当り逃げ部５２Ａは、第１挿入体形成部４１Ａと第２挿入体形成部４１Ｂとが離間する際に、第２挿入体形成部４１Ｂが第１貫通孔５１Ａに当らないようにするためのものである〔図６（ａ）参照〕。
第１板状基体３１Ａの上面３３Ａにおける面方向Ｘ−Ｘに沿う両側縁部それぞれに一対の摺動ガイド６１Ａが突設されている。一対の摺動ガイド６１Ａは、それぞれ前端縁３５Ａ側に回り込むように延設されて連続している。
一対の摺動ガイド６１Ａには、それぞれ、２個の厚み方向ガイド６２Ａが面方向Ｘ−Ｘに離間して設けられている。厚み方向ガイド６２Ａは、摺動ガイド６１Ａの上面に、摺動ガイド６１Ａから幅方向内方に向けて延設している。
【００２１】
第１板状基体３１Ａの上面３３Ａにおける第１挿入体形成部４１Ａの上方には、ストッパー部６３Ａが突設されている。
第１板状基体３１Ａの上面３３Ａにおける後端縁３６Ａと第１貫通孔５１Ａとの間には、バネ横受部６４Ａが突設されている。第１板状基体３１Ａの後端縁３６Ａから、バネ部材下受部６５Ａが面方向Ｘ−Ｘに突設されている。
【００２２】
第２板状基体３１Ｂは、図８に示すように、平面視で略陸上トラック形状を有している。尚、説明の便宜上、図８（ｂ）における左側の端縁及び右側の端縁を、それぞれ第２板状基体３１Ａの前端縁３５Ｂ及び後端縁３６Ｂという。第２板状基体３１Ｂの略中央部の下面３２Ｂには、略半円弧状断面の第２挿入体形成部４１Ｂが突設されている。第２挿入体形成部４１Ｂの前端縁３５Ｂ側は、平坦面となっている。第２板状基体３１Ｂの第２挿入体形成部４１Ｂにおける前端縁３５Ｂ側に隣接して、厚さ方向に第２貫通孔５１Ｂが貫設されている。第２貫通孔５１Ｂにおける前端縁３５Ｂ側は、該前端縁３５Ｂ側に凹んでおり、ストッパー部当接部５２Ｂを形成している。ストッパー部当接部５２Ｂは、第１挿入体形成部４１Ａと第２挿入体形成部４１Ｂとが離間する際に、第１板状基体３１Ａのストッパー部６３Ａが係合することにより、第１挿入体形成部４１Ａと第２挿入体形成部４１Ｂとの面方向Ｘ−Ｘの離間が止まるようにするものである〔図５（ａ）、図６（ａ）参照〕。
【００２３】
第２板状基体３１Ｂにおける第２貫通孔５１Ｂと後端縁３６Ｂとの間には、外面が略蒲鉾状のバネ収納部３４Ｂが設けられている。第２板状基体３１Ｂの後端縁３６Ｂの下面には、バネ受け部６６Ｂが突設されている。バネ収納部３４Ｂの内部には、その下部が開放するようにくり抜かれた形状のバネ配設部６７Ｂが形成されている。
【００２４】
このような構成の第１板状基体３１Ａと第２板状基体３１Ｂとは、図４〜図６に示すように、第２挿入体形成部４１Ｂが第１貫通孔５１Ａを貫通し、第１板状基体３１Ａの上に第２板状基体３１Ｂが重なった状態で、所定の面方向Ｘ−Ｘに摺動自在に連結されている。即ち、一対の摺動ガイド６１Ａにより第１板状基体３１Ａと第２板状基体３１Ｂとの摺動方向が所定の面方向Ｘ−Ｘに規制されるようになっており、厚み方向ガイド６２Ａにより第１板状基体３１Ａと第２板状基体３１Ｂとの厚み方向の離間が規制されるようになっている。
また、第１挿入体形成部４１Ａ及び第２挿入体形成部４１Ｂは、対向部が当接されて、へそ凹部へ挿入できる一対の挿入体４２を形成するようになっている。挿入体４２は、略楕円柱形状を形成している。また、第１挿入体形成部４１Ａと第２挿入体形成部４１Ｂとの面方向Ｘ−Ｘの最大離間時に、第１貫通孔５１Ａと第２貫通孔５１Ｂとが孔方向に重複するようになっている。
【００２５】
更に、第１板状基体３１Ａと第２板状基体３１Ｂとをそれらの摺動方向に離間させるようにバネ部材Ｓが設けられている。詳述すると、第１板状基体３１Ａと第２板状基体３１Ｂとが前述したように組み合わされた状態において、第２板状基体３１Ｂにおけるバネ収納部３４Ｂのバネ配設部６７Ｂに、弦巻バネ状のバネ部材Ｓが、第１板状基体３１Ａにおけるバネ横受部６４Ａと第２板状基体３１Ｂにおけるバネ受部６６Ｂとの間に挟持される状態で配設されている。
【００２６】
そのため、第１板状基体３１Ａと第２板状基体３１Ｂとの間には、それらが離間する方向の弾性復元力が付与されている。従って、第１挿入体形成部４１Ａ及び第２挿入体形成部４１Ｂが当接されて一対の挿入体４２が形成された際に、それらを面方向Ｘ−Ｘに離間する方向の弾性復元力が付与されている。
【００２７】
このように構成された第２実施形態のへそ拡開具３においては、押圧力を付与しない状態では、図４（ａ）に示すように、バネ部材Ｓによる弾性復元力により、ストッパー部６３Ａが第２貫通孔５１Ｂのストッパー部当接部５２Ｂに当接した状態で、第１板状基体３１Ａの第１挿入体形成部４１Ａと第２板状基体３１Ｂの第２挿入体形成部４１Ｂとが最大離間している。
そして、第１挿入体形成部４１Ａと第２挿入体形成部４１Ｂとを当接させる方向に第１板状基体３１Ａと第２板状基体３１Ｂとを押圧すると、図４（ｂ）に示すように、ストッパー部６３Ａと第２貫通孔５２Ｂの後端縁５３Ｂ側とが当接するまで、第１板状基体３１Ａと第２板状基体３１Ｂとが摺動し、その結果、第１挿入体形成部４１Ａと第２挿入体形成部４１Ｂとが当接し、挿入体４２が形成される。
【００２８】
この状態で、第２実施形態のへそ拡開具３における挿入体４２をへそ凹部に挿入する。そして、一対の第１板状基体３１Ａ及び第２板状基体３１Ｂへの押圧力を解除すると、バネ部材Ｓによる弾性復元力により一対の第１板状基体３１Ａ及び第２板状基体３１Ｂが、図４（ａ）の位置へ戻るように摺動して、挿入体形成部４１Ａ、４１Ｂが離間する。その結果、離間した挿入体形成部４１Ａ、４１Ｂにより、へそ凹部が拡開し、拡開状態が保持される。そして、拡開状態のへそ凹部に対し、孔方向に重複した第１貫通孔５１Ａ及び第２貫通孔５１Ｂを介してオイルを付けた綿棒等を用いてへそのゴマを除去することができる。このように、第１実施形態のへそ拡開具１を用いた場合と同様の効果が得られる。
【００２９】
次に、本発明のへそ拡開具の第３実施形態について説明する。
第３実施形態のへそ拡開具７は、図９に示すように、棒状の把持部７１と該把持部７１の先端部７２に設けられた二股の拡開部７３とを備え、該拡開部７３は、それをへそ凹部に挿入することにより該へそ凹部の拡開状態とするようになっている。
詳述すると、第３実施形態のへそ拡開具７は、棒状の把持部７１と、把持部７１の先端部７２に設けられた二股の拡開部７３と、把持部７１の後端縁に設けられた環部７４とを備え、把持部７１は、透明のチューブ７５により被覆されている。
【００３０】
チューブ７５を除く第３実施形態のへそ拡開具７は、図９に示すように、一本の線材を折り曲げて形成されている。
このように構成された第３実施形態のへそ拡開具７によれば、二股の拡開部７３をへそ凹部を押し広げながら挿入することにより、へそ凹部を拡開状態とすることができる。
なお、二股の拡開具７３の大きさや広がり角度は、使用者個人のへその大きさや形状に合わせて、使用者が自分で自由に変えることができる。
【００３１】
本発明のへそ拡開具は、前記実施形態に制限されることなく、本発明の趣旨を逸脱しない限り、適宜変更が可能である。
第１実施形態及び第２実施形態のへそ拡開具における２個の挿入体形成部は、使用時において、へそ凹部に挿入することができる程度に近接させれば、必ずしも当接させなくてもよい。
第１実施形態のへそ拡開具１においては、一対のアーム部材１１Ａ、１１Ｂ自体に基端部１３を開閉中心とする弾性復元力が付与されていれば、アーム部材間にバネ部材が設けられていなくてよい。一対のアーム部材１１Ａ、１１Ｂがピン結合されていてもよく、その場合、ピンの位置は基端部から若干先端部寄りでもよい。挿入体４２は、内筒部が形成されていない略円柱形状とすることもできる。
【００３２】
本発明のへそ拡開具は、上記のように、へそ掃除の際にへそ凹部を拡開してその状態を保持し、掃除操作がやりやすいという効果を奏する以外に、一定時間装着しておくことにより、それを取り外した後も見栄えのよいＵ字型のへそ形状をしばらく保つことができるという、プチ整形的な効果も有する。
【図面の簡単な説明】
【００３３】
【図１】図１は、本発明の第１実施形態のへそ拡開具を示す斜視図で、（ａ）は一対の挿入体形成部が離間した状態を示す図、（ｂ）は一対の挿入体形成部が当接した状態を示す図である。
【図２】図２は、本発明の第１実施形態のへそ拡開具を示す図〔図１（ａ）対応図〕で、（ａ）は平面図、（ｂ）は側面図、（ｃ）は底面図、（ｄ）は（ａ）に示すＤ−Ｄ断面図、（ｅ）は（ａ）に示すＥ−Ｅ断面図である。
【図３】図３は、第１実施形態のへそ拡開具の使用状態を示す図である。
【図４】図４は、本発明の第２実施形態のへそ拡開具を示す斜視図で、（ａ）は一対の挿入体形成部が離間した状態を示す図、（ｂ）は一対の挿入体形成部が当接した状態を示す図である。
【図５】図５は、本発明の第２実施形態のへそ拡開具を示す図〔図４（ａ）対応図〕で、（ａ）は平面図、（ｂ）は背面図、（ｃ）は側面図である。
【図６】図６は、本発明の第２実施形態のへそ拡開具を示す図〔図４（ａ）対応図〕で、（ａ）は図５（ａ）に示すVIＡ−VIＡ断面図、（ｂ）は図５（ａ）に示すVIＢ−VIＢ断面図、（ｃ）は図５（ａ）に示すVIＣ−VIＣ断面図である。
【図７】図７は、本発明の第２実施形態のへそ拡開具における第１板状基体及び第１挿入体形成部を示す図で、（ａ）は斜視図、（ｂ）は平面図、（ｃ）は側面図、（ｄ）は（ｂ）に示すＤ−Ｄ断面図である。
【図８】図８は、本発明の第２実施形態のへそ拡開具における第２板状基体及び第２挿入体形成部を示す図で、（ａ）は斜視図、（ｂ）は平面図、（ｃ）は側面図、（ｄ）は（ｂ）に示すＤ−Ｄ断面図である。
【図９】図９は、本発明の第３実施形態のへそ拡開具を示す斜視図である。
【符号の説明】
【００３４】
１、３、７  へそ拡開具
１１Ａ、１１Ｂ  アーム部材
１２Ａ、１２Ｂ  先端部
１３  基端部
２１Ａ、２１Ｂ  挿入体形成部
２２  挿入体
３１Ａ  第１板状基体
３１Ｂ  第２板状基体
３２Ａ、３２Ｂ  下面
３３Ａ、３３Ｂ  上面
４１Ａ  第１挿入体形成部
４１Ｂ  第２挿入体形成部
４２  挿入体
５１Ａ  第１貫通孔
５１Ｂ  第２貫通孔
６１Ａ  摺動ガイド
６２Ａ  厚み方向ガイド
６３Ａ  ストッパー部
７１  把持部
７２  先端部
７３  拡開部
Ｎ  へそ凹部
Ｓ  バネ部材
【図１】
2005304593.tif 000003
【図２】
2005304593.tif 000004
【図３】
2005304593.tif 000005
【図４】
2005304593.tif 000006
【図５】
2005304593.tif 000007
【図６】
2005304593.tif 000008
【図７】
2005304593.tif 000009
【図８】
2005304593.tif 000010
【図９】
2005304593.tif 000011